(57)【要約】  本発明は、上顎と下顎の歯模型（２）がそれぞれ固定される一対のベース部材（３）と、ベース部材（３）の末端部位がそれぞれ着脱可能に固定され、回動軸（４）によって互いに回動自在に軸結合される上部固定手段（５）および下部固定手段（６）とを含み、ベース部材（３）の末端部には固定孔（８）が穿設され、上部固定手段（５）と下部固定手段（６）には、末端部の固定孔（６）を嵌め合わせて固定する嵌合棒（９）がそれぞれ設けられ、上部固定手段（５）と下部固定手段（６）には、ベース部材（３）の末端部の端面を加圧してベース部材（３）に対して嵌合棒（９）の側方向に圧力を印加することで固定力を補助する補助固定手段（１０）が設けられ、歯模型間の前後運動を調整する前後往復手段（１６）、歯模型間の軸回転角度を微調整する間隔調整手段（１９）、および歯模型間の横方向運動を調整する回転手段（２５）が実現された、歯模型咬合器を提供する。
2016539778.tif 000002
【特許請求の範囲】
【請求項１】
上顎と下顎の歯模型がそれぞれ固定される一対のベース部材と、前記ベース部材の末端部位がそれぞれ着脱可能に固定され、回動軸によって互いに回動自在に軸結合される上部固定手段および下部固定手段とを含んでなる歯科模型咬合器において、
前記ベース部材の末端部には固定孔が穿設され、
前記上部固定手段および前記下部固定手段には、
前記末端部の前記固定孔を嵌め合わせて固定する嵌合棒がそれぞれ設けられ、
前記上部固定手段および前記下部固定手段には、
前記ベース部材の末端部の端面を加圧して前記ベース部材に対して前記嵌合棒の側方向に圧力を印加することにより固定力を補助する補助固定手段が設けられることを特徴とする、歯模型咬合器。
【請求項２】
前記補助固定手段は、
前記ベース部材の末端部の端面に対応するように前記嵌合棒に対して直角方向に位置し、ばねによって弾性支持される加圧突起と、
前記ばねが内在し、前記加圧突起が往復移動するようにガイドするハウジングと、を含んでなることを特徴とする、請求項１に記載の歯模型咬合器。
【請求項３】
前記補助固定手段は、
前記ベース部材の末端部の端面に、前記嵌合棒に対して直角方向に配向された部分が位置し、前記嵌合棒に対して直角方向に前記ベース部材を弾性的に加圧する弾性加圧部材からなることを特徴とする、請求項１に記載の歯模型咬合器。
【請求項４】
上顎と下顎の歯模型がそれぞれ固定される一対のベース部材と、前記ベース部材の末端部位がそれぞれ着脱可能に固定され、回動軸によって互いに回動自在に軸結合される上部固定手段および下部固定手段とを含んでなる歯科模型咬合器において、
前記上部固定手段は、
前記ベース部材が固定される固定部材と、前記固定部材の一端が固定され、前記下部固定手段と前記回動軸によって軸結合される回動部材と、前記固定部材と前記回動部材との間に設けられ、前記固定部材が前記回動部材に対して離隔および近接する往復運動を行うようにガイドするとともに固定する前後往復手段とを含んでなることを特徴とする、歯模型咬合器。
【請求項５】
前記前後往復手段は、
前記固定部材の一端に前記ベース部材に対して平行な方向に固定された棒状のガイド棒と、前記回動部材に設けられ、前記ガイド棒が案内されるように収容されるガイド孔とを含んでなることを特徴とする、請求項４に記載の歯模型咬合器。
【請求項６】
上顎と下顎の歯模型がそれぞれ固定される一対のベース部材と、前記ベース部材の末端部位がそれぞれ着脱可能に固定され、回動軸によって互いに回動自在に軸結合される上部固定手段および下部固定手段とを含んでなる歯科模型咬合器において、
前記下部固定手段には、
前記上部固定手段との回動時の隙間間隔を調整する間隔調整手段が備えられることを特徴とする、歯模型咬合器。
【請求項７】
前記間隔調整手段は、
前記下部固定手段の前記上部固定手段と対面する面上に回転運動可能に突設され、前記上部固定手段に対して対面する面の高さがそれぞれ異なるように回転中心を中心に一定の角度の半径を有しながら段差をもって形成された接触面を有する間隔調整部材と、
前記上部固定手段の前記下部固定手段と対面する面上に突設され、前記接触面と接触する棒状の間隔棒とを含んでなることを特徴とする、請求項６に記載の歯模型咬合器。
【請求項８】
前記間隔調整手段は、
前記上部固定手段の前記下部固定手段と対面する面上に接触可能に突設され、突出する部位の長さを調整することが可能な間隔調整棒からなることを特徴とする、請求項６に記載の歯模型咬合器。
【請求項９】
前記間隔調整棒は、
前記上部固定手段に螺合するねじ山を有することを特徴とする、請求項８に記載の歯模型咬合器。
【請求項１０】
前記間隔調整手段は、
前記下部固定手段の前記上部固定手段と対面する面に回動自在に軸着し、一部の外周面に回転軸の中心からの半径（Ｒ）（ｒ）が互いに異なる多数の接触部を有する回転子と、前記上部固定手段の前記下部固定手段と対面する面における、前記回転子の接触部と当接する部位に設けられ、前記回動軸を中心に前記上部固定手段が回転するときに前記接触部に接触して前記下部固定手段との隙間間隔を制限する対応手段とを含んでなることを特徴とする、請求項６に記載の歯模型咬合器。
【請求項１１】
前記接触部は、
前記回転子の外周面に設けられ、前記回転子の中心軸に対して互いに離隔した距離が異なる多数の頂点を有する多角形の形状をすることを特徴とする、請求項１０に記載の歯模型咬合器。
【請求項１２】
前記回転子は、
前記下部固定手段における前記回動軸の下部に設けられた回転軸孔に回動自在に固定される棒状の回転体であって、終端に手で掴むことが可能なノブが設けられ、他端には前記接触部が設けられ、
前記ノブと前記接触部との間には、ピンの終端が嵌め込まれて前記回転軸孔から抜けないようにする環状凹溝が設けられることを特徴とする、請求項１０に記載の歯模型咬合器。
【請求項１３】
前記対応手段は、
前記上部固定手段における前記回動軸の下部に位置する面に設けられ、前記接触部が収容される収容凹溝からなることを特徴とする、請求項１０に記載の歯模型咬合器。
【請求項１４】
上顎と下顎の歯模型がそれぞれ固定される一対のベース部材と、前記ベース部材の末端部位がそれぞれ着脱可能に固定され、回動軸によって互いに回動自在に軸結合される上部固定手段および下部固定手段とを含んでなる歯科模型咬合器において、
前記下部固定手段は、
前記ベース部材が固定される下部ボディと、前記下部ボディに回転可能に軸結合され、前記上部固定手段が前記回動軸によって軸結合された回転ボディとから構成され、
前記下部ボディと前記回転ボディとの間には、前記回転ボディが前記ベース部材に対して横方向に角度調整された軸回転運動を行うように調整する回転手段が設けられることを特徴とする、歯模型咬合器。
【請求項１５】
前記回転手段は、
前記回転ボディに設けられ、前記下部ボディに軸結合する固定軸に接触するとともに、前記固定軸に対して直角方向に運動して前記固定軸を回転させる押圧部材を含んでなることを特徴とする、請求項１４に記載の歯模型咬合器。
【請求項１６】
前記固定軸の外周面には、
前記押圧部材のラックギアに噛み合うピニオンギアの歯が設けられ、
前記押圧部材は、
前記下部ボディの内部でガイドされるとともに、元の位置に復帰するように組み立てられることを特徴とする、請求項１５に記載の歯模型咬合器。
【請求項１７】
上顎と下顎の歯模型がそれぞれ固定される一対のベース部材と、前記ベース部材の末端部位がそれぞれ着脱可能に固定され、回動軸によって互いに回動自在に軸結合される上部固定手段および下部固定手段とを含んでなる歯科模型咬合器において、
前記ベース部材の末端部には固定孔が穿設され、前記上部固定手段および前記下部固定手段には、前記末端部に設けられた前記固定孔を嵌め合わせて固定する嵌合棒がそれぞれ設けられ、
前記嵌合棒は、前記上部固定手段および前記下部固定手段において、前記ベース部材が前記上部固定手段および前記下部固定手段に固定されるとき、歯模型の設けられたベース部材の面を介して嵌め込まれて固定されるようにする位置に設けられることを特徴とする、歯模型咬合器。
【発明の詳細な説明】
【技術分野】
【０００１】
本発明は、上顎（上歯）歯模型と下顎（下歯）歯模型とをそれぞれ結合するようにする歯科用咬合器に係り、さらに詳しくは、歯模型の結合が安定かつ容易に行われるのはもとより、結合された歯模型の自由な再現運動を介して高品質のシミュレーションをまともに行うことができるように構成された歯模型咬合器に関する。
【背景技術】
【０００２】
一般に、歯を適切に管理しなければ歯に病原菌が侵入して歯が腐ったり歯肉疾患などが発生したりする場合、歯を抜くか或いはひどく毀損した部位を治療し、正常な周辺歯または対合する歯に影響を与えないように、損傷または腐敗した歯を正常な状態に復元する方法としては、人工歯を植設するか或いは既存の歯に補綴作業を行う方法がある。
【０００３】
すなわち、人工歯で交替するか補綴作業を行うためには、通常、歯科病院で患者の歯に対する陰刻パターンを作成して歯科技工所に送り、技工所では作成された陰刻パターンに歯科用セメントを注入して歯の模型を作るが、歯模型の制作の際には、治療または補綴作業を行わなければならない歯の数に応じて、治療すべき該当歯のみを作る部分歯模型、片側歯模型、全歯模型などに歯の型取りを行い、歯の相関関係に基づいて作業歯または作業歯に対向する対合歯の歯模型を製作する。
【０００４】
前記作業歯と対合歯が作られた場合、最終的に患者の歯咬合および咀嚼構造に合う補綴物および人工歯を製作するために、その相関関係を予め把握して最適の補綴物と人工歯を作ることができるように患者の上・下顎構造を再現しなければならないが、患者の歯構造に合う上・下顎構造を再現することができるように製作された器具が歯模型咬合器である。
【０００５】
上述したような歯模型咬合器として、特許文献１（名称：歯科用咬合器）があり、該歯科用咬合器は、前記公報に記載されているように、歯の模型を固定するベース部材と、前記ベース部材を固定するブラケット部材と、前記ブラケット部材を固定するとともに、互いに回動軸によって回動自在に軸結合する第１アームおよび第２アームとを含んでなる。
【０００６】
すなわち、前記歯模型を前記ベース部材に結合した状態で互いに軸回転する一対の第１アームおよび第２アームを介して軸回転させることにより上顎と下顎の構造を再現してシミュレーションする。
【先行技術文献】
【特許文献】
【０００７】
【特許文献１】米国特許登録公報ＵＳ８，３８２，４７４
【発明の概要】
【発明が解決しようとする課題】
【０００８】
ところが、上述したような従来の歯模型咬合器は、歯模型の固定されたベース部材が嵌合されることにより安定的に固定されないため、再現運動の際に分離および解体されるという問題点があった。
【０００９】
また、上顎と下顎の歯模型に対する再現運動が単に上下軸回転のみからなり、多様な形態の再現運動を行うことができないため、高品質のシミュレーションが行われないという問題点があった。
【００１０】
本発明は、前記したような従来の問題点を解決するために提案されたもので、その目的は、歯模型の結合が安定かつ容易に行われるのはもとより、結合された歯模型の自由な再現運動を実現するようにして高品質のシミュレーションをまともに行うことができるように構成された歯模型咬合器を提供することにある。
【課題を解決するための手段】
【００１１】
上記目的を達成するための本発明の歯模型咬合器は、上顎と下顎の歯模型がそれぞれ固定される一対のベース部材と、前記ベース部材の末端部位がそれぞれ着脱可能に固定され、回動軸によって互いに回動自在に軸結合される上部固定手段および下部固定手段とを含んでなる歯科模型咬合器において、前記ベース部材の末端部には固定孔が穿設され、前記上部固定手段および前記下部固定手段には、前記末端部の前記固定孔を嵌め合わせて固定する嵌合棒がそれぞれ設けられるとともに、前記ベース部材の末端部の端面を加圧して前記ベース部材に対して前記嵌合棒の側方向に圧力を印加することにより固定力を補助する補助固定手段が設けられることを特徴とする。
【００１２】
前記補助固定手段は、前記ベース部材の末端部の端面に対応するように前記嵌合棒に対して直角方向に位置し、ばねによって弾性支持される加圧突起と、前記ばねが内在し、前記加圧突起が往復移動するようにガイドするハウジングとを含んでなることを特徴とする。
【００１３】
前記補助固定手段は、前記ベース部材の末端部の端面に、前記嵌合棒に対して直角方向に配向された部分が位置し、前記嵌合棒に対して直角方向に前記ベース部材を弾性的に加圧する弾性加圧部材から構成されることを特徴とする。
【００１４】
上記目的を達成するための本発明の歯模型咬合器は、上顎と下顎の歯模型がそれぞれ固定される一対のベース部材と、前記ベース部材の末端部位がそれぞれ着脱可能に固定され、回動軸によって互いに回動自在に軸結合される上部固定手段および下部固定手段とを含んでなる歯科模型咬合器において、前記上部固定手段は、前記ベース部材が固定される固定部材と、前記固定部材の一端が固定され、前記下部固定手段と前記回動軸によって軸結合される回動部材と、前記固定部材と前記回動部材との間に設けられ、前記固定部材が前記回動部材に対して離隔および近接する往復運動を行うようにガイドするとともに固定する前後往復手段とを含んでなることを特徴とする。
【００１５】
前記前後往復手段は、前記固定部材の一端に前記ベース部材に対して平行な方向に固定された棒状のガイド棒と、前記回動部材に設けられ、前記ガイド棒が案内されるように収容されるガイド孔とを含んでなることを特徴とする。
【００１６】
上記目的を達成するための本発明の歯模型咬合器は、上顎と下顎の歯模型がそれぞれ固定される一対のベース部材と、前記ベース部材の末端部位がそれぞれ着脱可能に固定され、回動軸によって互いに回動自在に軸結合される上部固定手段および下部固定手段とを含んでなる歯科模型咬合器において、前記下部固定手段には、前記上部固定手段との回動時の隙間間隔を調整する間隔調整手段が備えられることを特徴とする。
【００１７】
前記間隔調整手段は、前記下部固定手段の前記上部固定手段と対面する面上に回転運動可能に突設され、前記上部固定手段に対して対面する面の高さがそれぞれ異なるように回転中心を中心に一定の角度の半径を有しながら段差をもって形成された接触面を有する間隔調整部材と、前記上部固定手段の前記下部固定手段と対面する面上に突設され、前記接触面と接触する棒状の間隔棒とを含んでなることを特徴とする。
【００１８】
前記間隔調整手段は、前記上部固定手段の前記下部固定手段と対面する面上に接触可能に突設され、突出する部位の長さを調整することが可能な間隔調整棒からなることを特徴とする。
【００１９】
前記間隔調整棒は、前記上部固定手段に螺合するねじ山を有することを特徴とする。
【００２０】
前記間隔調整手段は、前記下部固定手段の前記上部固定手段と対面する面に回動自在に軸着し、一部の外周面に回転軸の中心からの半径（Ｒ）（ｒ）が互いに異なる多数の接触部を有する回転子と、前記上部固定手段の前記下部固定手段と対面する面における、前記回転子の接触部と当接する部位に設けられ、前記回動軸を中心に前記上部固定手段が回転するときに前記接触部に接触して前記下部固定手段との隙間間隔を制限する対応手段とを含んでなることを特徴とする。
【００２１】
前記接触部は、前記回転子の外周面に設けられ、前記回転子の中心軸に対して互いに離隔した距離が異なる多数の頂点を有する多角形の形状をすることを特徴とする。
【００２２】
前記回転子は、前記下部固定手段の前記回動軸の下部に設けられた回転軸孔に回動自在に固定される棒状の回転体であって、終端に手で掴むことが可能なノブが設けられ、他端には前記接触部が設けられ、前記ノブと前記接触部との間には、ピンの終端が嵌め込まれて前記回転軸孔から抜けないようにする環状凹溝が設けられることを特徴とする。
【００２３】
前記対応手段は、前記上部固定手段の前記回動軸の下部に位置する面に設けられ、前記接触部が収容される収容凹溝からなることを特徴とする。
【００２４】
上記目的を達成するための本発明の歯模型咬合器は、上顎と下顎の歯模型がそれぞれ固定される一対のベース部材と、前記ベース部材の末端部位がそれぞれ着脱可能に固定され、回動軸によって互いに回動自在に軸結合される上部固定手段および下部固定手段とを含んでなる歯科模型咬合器において、前記下部固定手段は、前記ベース部材が固定される下部ボディと、前記下部ボディに回転可能に軸結合され、前記上部固定手段が回動軸によって軸結合された回転ボディとから構成され、前記下部ボディと前記回転ボディとの間には、前記回転ボディが前記ベース部材に対して横方向に角度調整された軸回転運動を行うように調整する回転手段が設けられることを特徴とする。
【００２５】
前記回転手段は、前記回転ボディに設けられ、前記下部ボディに軸結合する固定軸に接触するとともに、前記固定軸に対して直角方向に運動して前記固定軸を回転させる押圧部材を含んでなることを特徴とする。
【００２６】
前記固定軸の外周面には、前記押圧部材のラックギアに噛み合うピニオンギアの歯が設けられ、前記押圧部材は、前記下部ボディの内部でガイドされるとともに、元の位置に復帰するように組み立てられることを特徴とする。
【００２７】
上記目的を達成するための本発明の歯模型咬合器は、上顎と下顎の歯模型がそれぞれ固定される一対のベース部材と、前記ベース部材の末端部位がそれぞれ着脱可能に固定され、回動軸によって互いに回動自在に軸結合される上部固定手段および下部固定手段とを含んでなる歯科模型咬合器において、前記ベース部材の末端部には固定孔が穿設され、前記上部固定手段および前記下部固定手段には、前記末端部に設けられた前記固定孔を嵌め合わせて固定する嵌合棒がそれぞれ設けられ、前記嵌合棒は、前記上部固定手段および前記下部固定手段において、前記ベース部材が前記上部固定手段および前記下部固定手段に固定されるとき、歯模型の設けられたベース部材の面を介して嵌合固定されるようにする位置に設けられることを特徴とする。
【発明の効果】
【００２８】
本発明に係る歯模型咬合器は、歯模型の固定されたベース部材を前記嵌合棒と補助固定手段を介して上部固定手段と下部固定手段に容易かつ安定的に固定することができ、前後往復手段と間隔調整手段と回転手段を介して歯模型の再現運動を様々に実現することにより、高品質のデータを獲得することができるという効果を持つ。
【図面の簡単な説明】
【００２９】
【図１】本発明の一実施例に係る歯模型咬合器を示す斜視例示図である。
【図２】本実施例に係る歯模型咬合器の使用状態を示す斜視例示図である。
【図３】本実施例に係る歯模型咬合器の使用状態を示す斜視例示図である。
【図４】本実施例に係る歯模型咬合器の使用状態を示す断面例示図である。
【図５】本実施例に係る歯模型咬合器の使用状態を示す断面例示図である。
【図６】本実施例に係る歯模型咬合器を構成する補助固定手段を示す拡大断面例示図である。
【図７】本実施例に係る歯模型咬合器を構成する嵌合棒の使用例示を示す斜視例示図である。
【図８】本実施例に係る歯模型咬合器を構成する前後往復手段を示す拡大断面例示図である。
【図９】本実施例に係る歯模型咬合器を構成する前後往復手段の使用状態を示す斜視例示図である。
【図１０】本実施例に係る歯模型咬合器を構成する前後往復手段の使用状態を示す斜視例示図である。
【図１１】本実施例に係る歯模型咬合器を構成する間隔調整手段の使用状態を示す例示図である。
【図１２】本実施例に係る歯模型咬合器を構成する間隔調整手段の使用状態を示す例示図である。
【図１３】本実施例に係る歯模型咬合器を構成する間隔調整手段の使用状態を示す例示図である。
【図１４】本実施例に係る歯模型咬合器を構成する回転手段を示す断面例示図である。
【図１５】本実施例に係る歯模型咬合器を構成する回転手段の使用状態を示す斜視例示図である。
【図１６】本実施例に係る歯模型咬合器を構成する回転手段の使用状態を示す斜視例示図である。
【図１７】本発明の他の実施例に係る歯模型咬合器を示す概略例示図である。
【図１８】本発明の他の実施例に係る歯模型咬合器を示す概略例示図である。
【図１９】本発明の他の実施例に係る歯模型咬合器を示す概略例示図である。
【図２０】本発明の他の実施例に係る歯模型咬合器を示す概略例示図である。
【図２１】本発明の他の実施例に係る歯模型咬合器を示す概略例示図である。
【図２２】本発明の他の実施例に係る歯模型咬合器を示す概略例示図である。
【図２３】本発明の他の実施例に係る歯模型咬合器を示す概略例示図である。
【図２４】本発明の別の実施例に係る歯模型咬合器を示す概略例示図である。
【図２５】本発明の別の実施例に係る歯模型咬合器を示す概略例示図である。
【図２６】本発明の別の実施例に係る歯模型咬合器を示す概略例示図である。
【発明を実施するための形態】
【００３０】
以下に添付図面を参照しながら、本発明の好適な実施例に係る歯模型咬合器を詳細に説明する。
【００３１】
本発明の実施例は、様々な形態で変形でき、本発明の範囲が後述の実施例に限定されるものと解釈されてはならない。本実施例は、当該分野における通常の知識を有する者に本発明をさらに完全に説明するために提供されるものである。よって、図面における要素の形状などはより明確な説明を強調するために誇張して表現できる。各図面において、同一の部材は同一の参照符号を付した場合があることに留意すべきである。本発明の要旨を不明確にするおそれがあると判断される公知の機能および構成についての詳細な記述は省略する。
【００３２】
図１は本発明の一実施例に係る歯模型咬合器を示す図である。本実施例に係る歯模型咬合器１は、上顎と下顎の歯模型２がそれぞれ固定される一対のベース部材３と、前記ベース部材３の末端部位がそれぞれ着脱可能に固定され、回動軸４によって互いに回動自在に軸結合される上部固定手段５および下部固定手段６とを含んでなる。
【００３３】
すなわち、前記上部固定手段５と下部固定手段６の軸に対する回動運動に従って、前記歯模型２が回動軸４を中心に互いに近接または離隔する回動運動を実現して歯模型２の運動を再現することにより、シミュレーションデータを確保するのである。
【００３４】
前記ベース部材３は、一面には歯模型２が固定され、末端部には前記上部固定手段５および下部固定手段６に固定する固定要素が備えられるものであって、従来の公知の技術によって製造されることが好ましい。
【００３５】
そして、前記上部固定手段５と下部固定手段６において、互いに対面する面には、軸回転の際に過度な近接を回避することを可能とするストッパー７がそれぞれ互いに触れ合う位置にそれぞれ備えられることが好ましい。
【００３６】
このような本実施例に係る咬合器において、前記ベース部材３の末端部には固定孔８が穿設され、前記上部固定手段５および下部固定手段６には、前記末端部の前記固定孔８を嵌め合わせて固定する嵌合棒９がそれぞれ設けられる。
【００３７】
すなわち、前記ベース部材３に備えられた固定要素は前記固定孔８からなっており、図７に示すように、前記固定孔８が前記嵌合棒９に嵌合固定されて前記ベース部材３が前記上部固定手段５と前記下部固定手段６に一次的に固定される。
【００３８】
この際、前記嵌合棒９の外周面の直径と前記固定孔８の内径とは一致することが好ましく、前記嵌合棒９の終端部が、外側方向に行くほど狭くなる直径を有するテーパー面からなることが最も好ましい。
【００３９】
これにより、前記固定孔８が前記嵌合棒９に容易に嵌め合わせられるとともに、固定力を持つ。
【００４０】
本実施例に係る歯模型咬合器１において、前記上部固定手段５と下部固定手段６には、前記ベース部材３の末端部の端面を加圧して前記ベース部材３に対して前記嵌合棒９の側方向に圧力を印加することにより固定力を補助する補助固定手段１０が設けられる。
【００４１】
すなわち、前記ベース部材３に対して前記上部固定手段５と下部固定手段６が前記固定孔８と嵌合棒９による垂直方向の固定力を持つとともに、前記補助固定手段１０を介して水平（横）方向の固定力をさらに持つことにより、無断で分離されず、安定的に固定された状態を維持することになる。
【００４２】
前記補助固定手段１０は、図６に示すように、前記ベース部材３の末端部の端面に対応するように前記嵌合棒９に対して直角方向に位置し、ばね１１によって弾性支持される加圧突起１２と、前記ばね１１が内在し、前記加圧突起１２が往復移動するようにガイドするハウジング１３とを含んでなる。
【００４３】
すなわち、前記ベース部材３の末端部の端面を前記加圧突起１２が加圧して固定力を付加するようになっており、前記ベース部材３が前記嵌合棒９を介して結合されるとき、前記ベース部材３の末端部が前記加圧突起１２を押し付けながら前記固定孔８の位置を前記嵌合棒９に対して確保した後、嵌合固定し、前記加圧突起１２は前記ばね１１による弾性力によって前記ベース部材３の側方向に加圧する。
【００４４】
したがって、前記ベース部材３は、前記嵌合棒９との垂直方向の固定力および前記加圧突起１２による水平方向の固定力を確保することにより、無断で分離されない。
【００４５】
本実施例に係る歯模型咬合器１において、前記上部固定手段５は、前記ベース部材３が固定される固定部材１４と、前記固定部材１４の一端が固定され、前記下部固定手段６と前記回動軸４によって軸結合される回動部材１５と、前記固定部材１４と前記回動部材１５との間に設けられ、前記固定部材１４が前記回動部材１５に対して離隔および近接する往復運動を行うようにガイドするとともに固定する前後往復手段１６とを含んでいる。
【００４６】
すなわち、前記前後往復手段１６を介して前記固定部材１４を前記回動部材１５に対して前後往復運動させるようになっており、単純な軸回転による再現だけでなく、歯模型間の前後運動に対する再現を実現する。
【００４７】
前記において、前記前後往復手段１６は、図８〜図１０に示すように、前記固定部材１４の一端に設けられ、前記ベース部材３に対して平行な方向に固定された棒状のガイド棒１７と、前記回動部材１５に設けられ、前記ガイド棒１７が案内されるように収容されるガイド孔１８とを含んでなる。
【００４８】
すなわち、前記ガイド棒１７が前記ガイド孔１８に沿って往復移動する経路を介して歯模型の前後運動に対する再現を実現する。
【００４９】
本実施例に係る歯模型咬合器１において、前記下部固定手段６には、前記上部固定手段５との回動時の隙間間隔を調整するための間隔調整手段１９が設けられる。
【００５０】
すなわち、前記間隔調整手段１９を介して、前記上部固定手段５と前記下部固定手段６の対面する面に対する間隔を微調整することにより、より精度の高い再現データを獲得することになる。
【００５１】
このように構成された前記間隔調整手段１９は、図１１〜図１３に示すように、前記下部固定手段６の前記上部固定手段５と対面する面上に回転運動可能に突設され、前記上部固定手段５に対して対面する面の高さがそれぞれ異なるように回転中心を中心に一定の角度の半径を有しながら段差をもって形成された接触面２０を有する間隔調整部材２１と、前記上部固定手段５の前記下部固定手段６と対面する面上に突設され、前記接触面２０に接触する棒状の間隔棒２２とを含んでなる。
【００５２】
すなわち、前記間隔棒２２に接触する前記接触面２０の種類を、所望の接触面２０が接触するように選択して位置させることにより、回転に対す隙間間隔を微調整することができる。
【００５３】
前記接触面２０は４面からなることが好ましいが、これに限定されるものではなく、前記下部固定手段６に軸着される軸の外周面は前記接触面２０に相応する多角形の形状からなる。これにより、無断で回転することを防止することにより、選択された前記接触面２０が無断で交替されることを防止することが最も好ましい。
【００５４】
本実施例による歯模型咬合器１において、前記下部固定手段６は、前記ベース部材３が固定される下部ボディ２３と、前記下部ボディ２３に回転可能に軸結合され、前記上部固定手段５が前記回動軸４によって軸結合された回転ボディ２４とからなり、前記下部ボディ２３と前記回転ボディ２４との間には、前記回転ボディ２４が前記ベース部材３に対して横方向に角度調整された軸回転運動を行うように調整する回転手段２５が設けられる。
【００５５】
これにより、前記回転手段２５を介して前記歯模型２の横方向運動に対する再現が実現される。
【００５６】
前記回転手段２５は、図１４〜図１６に示すように、前記回転ボディ２４に設けられ、前記下部ボディ２３に軸結合される固定軸２６に接触するとともに、前記固定軸２６に対して直角方向に運動して前記固定軸２６を回転させる押圧部材２７を含んでなる。
【００５７】
すなわち、前記押圧部材２７を、ユーザーが押すことにより前記固定軸２６が回転し、これにより前記回転ボディ２４が前記下部ボディ２３上で回転して歯模型２の横方向の回転運動を再現する。
【００５８】
そして、前記固定軸２６の外周面には、前記押圧部材２７のラックギアに噛み合うピニオンギアの歯が設けられ、前記押圧部材２７は、前記下部ボディ２３の内部でガイドされるとともに、元の位置に復帰するように組み立てられることが好ましいが、これに限定されるものではない。
【００５９】
上述したように構成された本実施例に係る歯模型咬合器１を介して再現作業を行おうとするときは、まず、前記ベース部材３に歯模型２をそれぞれ固定し、前記ベース部材３の末端部の前記固定孔８を前記嵌合棒９に嵌め合わせて固定する。
【００６０】
この際、前記加圧突起１２を前記ベース部材３の末端面を介して押し付けながら嵌め込んで固定すればよい。
【００６１】
このように、前記ベース部材３が前記上部固定手段５および下部固定手段６に固定されると、前記間隔調整手段１９の間隔調整部材２１を回転させ、所望の高さを持つ前記接触面２０が前記間隔棒２２に触れ合える位置に位置させる。
【００６２】
前述したように、前記間隔調整手段１９の調整が完了すると、歯模型２の再現運動を実現すればよいので、前記回動軸４を介して前記上部固定手段５と前記下部固定手段６を軸回転させる作業を行うことができる。
【００６３】
この際、前記間隔調整手段１９によって上部固定手段５と下部固定手段６の回転半径を微調整した状態で行うことにより、データを獲得する。
【００６４】
そして、ユーザーが前記押圧部材２７を押圧する深さに応じて前記回転ボディ２４が前記下部ボディ２３に対して所望の方向および角度で回転するようにして、歯模型２の横方向運動に対する再現を行うことにより、データを獲得する。
【００６５】
また、前記固定部材１４を前記回動部材１５に対して前後往復運動させ、歯模型２の前後運動に対する再現データを獲得する。
【００６６】
図１７〜２３は本発明の他の実施例に係る歯模型咬合器を示す図である。本実施例に係る歯模型咬合器１において、前記間隔調整手段１９は、図１７および図１８に示すように、前記下部固定手段６の前記上部固定手段５と対面する面に回動自在に軸着され、一部の外周面に回転軸の中心からの半径（Ｒ）（ｒ）が互いに異なる多数の接触部２８を有する回転子２９と、前記上部固定手段５の前記下部固定手段６と対面する面における前記回転子２９の接触部２８と当接する部位に設けられ、前記回動軸４を中心に前記上部固定手段５が回転するときに前記接触部２８と接触して前記下部固定手段６との隙間間隔を制限する対応手段とを含んでなる。
【００６７】
すなわち、前記対応手段に接触する前記接触部２８の種類を、所望の間隔を持つ接触部２８が接触するように選択して位置させることにより、回転に対する隙間間隔を微調整することができる。
【００６８】
前記接触部２８は２〜１０個からなることが好ましく、８個からなることが最も好ましい。
【００６９】
特に、前記接触部２８は、前記回転子２９の外周面に設けられ、前記回転子２９の中心軸に対して互いに離隔した距離が異なる多数の頂点を有する多角形の形状からなることが好ましく、八角形の形状を有することが最も好ましい。
【００７０】
これにより、前記対応手段に接触する接触部２８を選択して位置を調整することにより、前記上部固定手段５の前記下部固定手段６に対する最小近接間隔を微調整しながら再現運動を行うことになる。
【００７１】
上述したように構成された本実施例に係る歯模型咬合器１において、前記回転子２９は、前記下部固定手段６における、前記回動軸４の下部に設けられた回転軸孔３０に回動自在に固定される棒状の回転体であって、終端に手で掴むことが可能なノブ３１が設けられ、他端には前記接触部２８が設けられ、前記ノブ３１と接触部２８との間には、ピン３２の終端が嵌め込まれて前記回転軸孔３０から抜けないようにする環状凹溝３３が設けられる。
【００７２】
すなわち、前記回転子２９を前記回転軸孔３０に軸結合した状態で前記ピン３２を前記環状凹溝３３に嵌合すると、前記回転子２９が前記回転軸孔３０から分離されずに固定された状態を維持することになる。
【００７３】
これにより、前記回転子２９を前記回転軸孔３０から分離しようとする場合には、前記ピン３２を前記環状凹溝３３から離脱させた後、前記環状凹溝３３から前記回転子２９を分離すればよい。
【００７４】
このように構成された本実施例に係る歯模型咬合器１において、前記対応手段は、前記上部固定手段５における前記回動軸４の下部に位置する面に備えられ、前記接触部２８が収容されるように凹設された凹部状の収容凹溝３４からなることが好ましい。
【００７５】
すなわち、前記収容凹溝３４に前記接触部２８の接触部位が収容された状態で接触するようにしたもので、前記接触部２８が前記収容凹溝３４によってその位置をさらに確固に維持するようにすることにより、横方向への遊動を防止して安定的に位置できる。
【００７６】
前述したように構成された本実施例に係る歯模型咬合器１を介して再現作業を行おうとするときは、まず、前記ベース部材３に歯模型２をそれぞれ固定し、前記ベース部材３の末端部を前記上部固定手段５および下部固定手段６に固定すると、図２１〜図２３に示すように、前記間隔調整手段１９の回転子２９を回転させ、所望の位置の高さを持つ前記接触部２８が前記収容凹溝３４に触れ合えるように位置させる。
【００７７】
このとき、外部に晒された前記ノブ３１を手で掴んで簡単に回すことができる。
【００７８】
前述したように、前記間隔調整手段１９の調整が完了すると、歯模型２の再現運動を実現すればよいので、前記回動軸４を介して前記上部固定手段５と下部固定手段６を軸回転させる作業を行うことができる。
【００７９】
この際、前記間隔調整手段８によって上部固定手段５と下部固定手段６の回転半径を微調整した状態で行うことにより、データを獲得する。
【００８０】
図２４は本発明の別の実施例に係る歯模型咬合器を示す。図２４に示すように、本実施例に係る歯模型咬合器１において、前記補助固定手段１０は、前記ベース部材３の末端部の端面に、前記嵌合棒９に対して直角方向に配向された部分が位置し、前記嵌合棒９に対して直角方向に前記ベース部材３を弾性的に加圧する弾性加圧部材３５からなる。
【００８１】
前記弾性加圧部材３５は、図２５に示すように、前記上部固定手段５に設けられた板ばねからなることが最も好ましいが、これに限定されるものではない。
【００８２】
これにより、前記弾性加圧部材３５は、前記ベース部材３の末端部の端面を加圧して固定力を付加するようになっている。前記ベース部材３が前記嵌合棒９を介して結合されるとき、前記ベース部材３の末端部が前記弾性加圧部材３５の端部を押し付けながら前記固定孔８の位置を前記嵌合棒９に対して確保した後、嵌合固定する。前記弾性加圧部材３５は、弾性力によって前記ベース部材３の側方向に加圧する。
【００８３】
したがって、前記ベース部材３は、前記嵌合棒９との垂直方向の固定力と前記弾性加圧部材３５による水平方向の固定力を確保することにより、無断で分離されない。
【００８４】
図２６は本発明に係る歯模型咬合器に適用される前記間隔調整手段の他の実施例を示す図である。図２６に示すように、前記間隔調整手段１９は、前記上部固定手段５の前記下部固定手段６と対面する面上に接触できるように突設され、突出する部位の長さを調整することが可能な間隔調整棒３６からなってもよい。
【００８５】
この際、前記間隔調整棒３６は、前記上部固定手段５に螺合するねじ山を有することにより、ねじ回転による最下端の位置を調整して前記上部固定手段５と下部固定手段６との最小近接時の間隔を調整する。
【００８６】
したがって、前記間隔調整棒３６を介して前記上部固定手段５と下部固定手段６の対面する面に対する間隔を微調整することにより、より精度の高い再現データを獲得することになる。
【００８７】
また、本発明の歯模型咬合器では、前記したベース部材３の末端部には固定孔８が穿設され、前記上部固定手段５および下部固定手段６には、前記末端部の前記固定孔８を嵌め合わせて固定する嵌合棒９がそれぞれ設けられるが、前記嵌合棒９は、前記上部固定手段５および下部固定手段６において、前記ベース部材３が前記上部固定手段５および下部固定手段６に固定されるとき、歯模型２が設けられたベース部材３の面を介して嵌合固定されるようにする位置に設けられることが好ましい。
【００８８】
すなわち、前記歯模型２が配置された面を介して前記ベース部材３が前記上部固定手段５および下部固定手段６に固定されるようにすることにより、歯模型２が配置されていない他のベース部材３の他面を精密加工しなくてもよいので、作業工程の縮小によって生産性を向上させてより経済的に提供することができる。
【００８９】
上述したように、前記前後往復手段１６と間隔調整手段１９と回転手段２５を介して歯模型２の再現運動を様々に実現することにより、高品質のデータを獲得することができる。
【００９０】
以上で説明した本発明の一実施例は、例示的なものに過ぎず、本発明の属する技術分野における通常の知識を有する者であれば、これらの実施例から様々な変形および均等な他の実施が可能であることを理解するであろう。したがって、本発明は、発明の詳細な説明で言及される形態に限定されるものではない。よって、本発明の真正な技術的保護範囲は添付した請求の範囲の技術的思想によって定められるべきである。また、本発明は、添付した請求の範囲によって定義される本発明の思想およびその範囲内にあるすべての変形物、均等物および代替物を含むものと理解されるべきである。
【符号の説明】
【００９１】
１  歯模型咬合器
２  歯模型
３  ベース部材
４  回動軸
５  上部固定手段
６  下部固定手段
７  ストッパー
８  固定孔
９  嵌合棒
１０  補助固定手段
１２  加圧突起
１３  ハウジング
１４  固定部材
１５  回動部材
１６  前後往復手段
１７  ガイド棒
１８  ガイド孔
１９  間隔調整手段
２０  接触面
２１  間隔調整部材
２２  間隔棒
２３  下部ボディ
２４  回転ボディ
２５  回転手段
２６  固定軸
２７  押圧部材
２８  接触部
２９  回転子
３０  回転軸孔
３１  ノブ
３２  ピン
３３  環状凹溝
３４  収容凹溝
３５  弾性加圧部材
３６  間隔調整棒
【図１】
2016539778.tif 000003
【図２】
2016539778.tif 000004
【図３】
2016539778.tif 000005
【図４】
2016539778.tif 000006
【図５】
2016539778.tif 000007
【図６】
2016539778.tif 000008
【図７】
2016539778.tif 000009
【図８】
2016539778.tif 000010
【図９】
2016539778.tif 000011
【図１０】
2016539778.tif 000012
【図１１】
2016539778.tif 000013
【図１２】
2016539778.tif 000014
【図１３】
2016539778.tif 000015
【図１４】
2016539778.tif 000016
【図１５】
2016539778.tif 000017
【図１６】
2016539778.tif 000018
【図１７】
2016539778.tif 000019
【図１８】
2016539778.tif 000020
【図１９】
2016539778.tif 000021
【図２０】
2016539778.tif 000022
【図２１】
2016539778.tif 000023
【図２２】
2016539778.tif 000024
【図２３】
2016539778.tif 000025
【図２４】
2016539778.tif 000026
【図２５】
2016539778.tif 000027
【図２６】
2016539778.tif 000028
【国際調査報告】
2016539778.tif 000029
2016539778.tif 000030
2016539778.tif 000031
2016539778.tif 000032
2016539778.tif 000033
2016539778.tif 000034